(57)【要約】【課題】シェーマ画像にテキスト入力、塗りつぶしなどの表示が容易に行うことができるシェーマ描画装置、シェーマ描画システムおよびシェーマ描画プログラムを提供する。【解決手段】  実施形態のシェーマ描画装置は、シェーマ表示手段１４０によって患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示する。そして、シェーマ記載手段１５０によって設定情報テーブルの前記疾病箇所に該当する領域に色情報を入力することにより、シェーマ下絵画像の対応する線図で区分された部位を前記色に色塗りする。【選択図】  図２
2012003465.tif 000002
【特許請求の範囲】
【請求項１】
患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示するシェーマ表示手段と、
前記設定情報テーブルの前記疾病箇所に該当する領域に色情報を入力することにより、前記シェーマ下絵画像の対応する線図で区分された部位を前記色に色塗りするシェーマ記載手段と、
を有することを特徴とするシェーマ描画装置。
【請求項２】
患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示するシェーマ表示手段と、
前記シェーマ下絵画像の前記疾病箇所に該当する前記線図で区分された部位を色塗りすることにより、前記設定情報テーブルの対応する前記領域に前記色塗りされた色情報を入力するシェーマ記載手段と、
を有することを特徴とするシェーマ描画装置。
【請求項３】
前記シェーマ記載手段は、前記設定情報テーブルの前記領域毎に、前記疾病の程度を表わす情報、およびフリー記入情報が入力可能であることを特徴とする請求項１又は請求項２に記載のシェーマ描画装置。
【請求項４】
患者の疾病箇所を特定する人体の所定部位が線図で区分されたシェーマ下絵画像と、前記シェーマ下絵画像に対応し前記線図で区分された領域毎に情報入力可能な設定情報テーブルとを記憶するデータベースと、
前記データベースから読み出した前記シェーマ下絵画像、および対応する前記設定情報テーブルを同時に表示するシェーマ表示手段と、
前記設定情報テーブルの前記疾病箇所に該当する領域に色情報を入力することにより、前記シェーマ下絵画像の対応する線図で区分された部位を前記色に色塗りするシェーマ記載手段と、
を有することを特徴とするシェーマ描画システム。
【請求項５】
患者の疾病箇所を特定する人体の所定部位が線図で区分されたシェーマ下絵画像と、前記シェーマ下絵画像に対応し前記線図で区分された領域毎に情報入力可能な設定情報テーブルとを記憶するデータベースと、
前記データベースから読み出した前記シェーマ下絵画像、および対応する前記設定情報テーブルを同時に表示するシェーマ表示手段と、
前記シェーマ下絵画像の前記疾病箇所に該当する前記線図で区分された部位を色塗りすることにより、前記設定情報テーブルの対応する前記領域に前記色塗りされた色情報を入力するシェーマ記載手段と、
を有することを特徴とするシェーマ描画システム。
【請求項６】
前記シェーマ記載手段は、前記設定情報テーブルの前記領域毎に、前記疾病の程度を表わす情報、およびフリー記入情報が入力可能であることを特徴とする請求項４又は請求項５に記載のシェーマ描画システム。
【請求項７】
患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示する機能と、
前記設定情報テーブルの前記疾病箇所に該当する領域に色情報を入力することにより、前記シェーマ下絵画像の対応する線図で区分された部位を前記色に色塗りする機能と、
を有することを特徴とするシェーマ描画プログラム。
【請求項８】
患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示する機能と、
前記シェーマ下絵画像の前記疾病箇所に該当する前記線図で区分された部位を色塗りすることにより、前記設定情報テーブルの対応する前記領域に前記色塗りされた色情報を入力する機能と、
を有することを特徴とするシェーマ描画プログラム。
【発明の詳細な説明】
【技術分野】
【０００１】
本発明の実施形態は、シェーマ描画装置、シェーマ描画システムおよびシェーマ描画プログラムに関する。
【背景技術】
【０００２】
病院情報システム（ＨＩＳ：Hospital Information System）や画像保管通信システム（ＰＡＣＳ：Picture Archiving and Communication System）等の医療情報システムの普及に伴い、患者の疾患部位を「シェーマ画像」に描画し、カルテとして保管されている。
【０００３】
この「シェーマ画像」は、人体の所定部位の構造を線図で表したものである。このシェーマ画像の作成方法としては、例えば、電子カルテにおいて、人体の所定部位の下絵を選択表示して、その上にマウスなどを操作し、フリーに描画するシェーマ描画を行う機能がある。しかしながら、マウスを用いてシェーマ描画するのは非常に難しい作業であるばかりか、多くの作業時間を必要とする。
【０００４】
また、現在のシェーマ描画ツールでは、下絵と描画の２層構造となっているため、テキスト入力、色塗りした情報などを複数同時に行っても、それぞれの情報として管理することができない。更に、折角作成したシェーマ画像データから統計データを取得することができないなどの色々な問題がある。
【先行技術文献】
【特許文献】
【０００５】
【特許文献１】特開２００９−１６０３１４号公報
【特許文献２】特開２００６−１８１１４６号公報
【発明の概要】
【発明が解決しようとする課題】
【０００６】
本発明の課題は、シェーマ画像に対して色塗りなどの表示が容易に行うことができるシェーマ描画装置、シェーマ描画システムおよびシェーマ描画プログラムを提供することにある。
【課題を解決するための手段】
【０００７】
課題を解決する実施形態に係るシェーマ描画装置は、患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示するシェーマ表示手段と、前記設定情報テーブルの前記疾病箇所に該当する領域に色情報を入力することにより、前記シェーマ下絵画像の対応する線図で区分された部位を前記色に色塗りするシェーマ記載手段と、を有するものである。
【０００８】
課題を解決する実施形態に係るシェーマ描画システムは、患者の疾病箇所を特定する人体の所定部位が線図で区分されたシェーマ下絵画像と、前記シェーマ下絵画像に対応し前記線図で区分された領域毎に情報入力可能な設定情報テーブルとを記憶するデータベースと、前記データベースから読み出した前記シェーマ下絵画像、および対応する前記設定情報テーブルを同時に表示するシェーマ表示手段と、前記設定情報テーブルの前記疾病箇所に該当する領域に色情報を入力することにより、前記シェーマ下絵画像の対応する線図で区分された部位を前記色に色塗りするシェーマ記載手段と、を有するものである。
【０００９】
課題を解決する実施形態に係るシェーマ描画プログラムは、患者の疾病箇所を特定する人体の所定部位が線図で区分されたシェーマ下絵画像と、前記シェーマ下絵画像に対応し前記線図で区分された領域毎に情報入力可能な設定情報テーブルとを同時に表示する機能と、前記設定情報テーブルの前記疾病箇所に該当する領域に色情報を入力することにより、前記シェーマ下絵画像の対応する線図で区分された部位を前記色に色塗りする機能と、を有するものである。
【発明の効果】
【００１０】
本発明によれば、シェーマ画像に色塗り、疾病レベル、フリーテキスト入力などの表示が容易に行うことができ、また統計データの作成を容易に行うことができる。
【図面の簡単な説明】
【００１１】
【図１】実施形態に係るシェーマ描画装置およびシェーマ描画システムの構成を示すブロック図。
【図２】実施形態に係るシェーマ描画ツールの詳細な構成を示すブロック図。
【図３】実施形態に係るシェーマ描画ツールの動作を示すフローチャート。
【図４】実施形態に係るシェーマ描画の第１の動作例を示す図。
【図５】実施形態に係るシェーマ描画の第２の動作例を示す図。
【図６】実施形態に係るシェーマ描画の第３の動作例を示す図。
【図７】他の実施形態に係るシェーマ描画システムの構成を示すブロック図。
【発明を実施するための形態】
【００１２】
以下、図面を参照しながら実施形態に係るシェーマ描画装置、シェーマ描画システム及びシェーマ描画プログラムについて説明する。
【００１３】
図１は、実施形態に係るシェーマ描画装置およびシェーマ描画システムの構成を示すブロック図である。このシェーマ描画装置は、例えば、医師等が操作するクライアント端末に実装されるものである。そして、シェーマ描画装置１００は、ＣＰＵ１０、主メモリ２０、ディスク記憶部３０、表示メモリ４０、ディスプレイ５０、キーボード６０、マウス７０、通信インタフェース８０等によって構成され、ディスプレイ５０を除きそれらのデバイスはバス９０に接続されている。
【００１４】
ＣＰＵ１０は、シェーマ描画装置１００の全体を制御するものであり、シェーマ画像ツール１１０を実行するものである。主メモリ２０は、ＯＳやアプリケーション等のプログラムを格納する領域や、各種アプリケーションが実行される時の作業領域として使用される。シェーマ描画のアプリケーションが読み込まれた際には、ＣＰＵ１０は主メモリ２０をアクセスしながらシェーマ描画処理を実行する。
【００１５】
ディスク記憶部３０は各種のアプリケーションおよびデータを保存するものであり、シェーマ描画のアプリケーションが記憶されている。表示メモリ４０はディスプレイ５０に表示するデータを記憶するメモリである。キーボード６０およびマウス７０は、ディスプレイ５０に表示される文字・画像データを参照しながら、医師などの使用者によってデータ入力又は指令入力などの操作が行なわれる。
【００１６】
通信インタフェース８０は、例えばローカルエリアネットワークＬＡＮ２００に接続される複数のデータベース（例えば、サーバ装置）との情報通信を実行する。ここでは、ＬＡＮ２００に接続されるサーバ装置のシェーマ画像ＤＢ３００をアクセスするものとして示す。なお、ここでは１台のシェーマ描画装置１００を例示しているが、ＬＡＮ２００には多数のクライアント端末が接続されるものである。
【００１７】
また、シェーマ情報ＤＢ３００には、人体の全体や、各種臓器・肺・顔・頭の部位など、全ての疾病箇所に表わすことが可能な各種のシェーマ下絵画像、およびその下絵画像に対応する部位毎の設定情報テーブルが予め登録されている。
【００１８】
図２は、ＣＰＵ１０によって実行されるシェーマ画像ツール１１０の機能ブロックを示した図である。即ち、シェーマ画像ツール１１０は、シェーマ起動部１２０、下絵情報＆設定情報取得部１３０、シェーマ表示部１４０、シェーマ記載部１５０、シェーマ登録部１６０、シェーマ格納部１７０などから構成される。
【００１９】
シェーマ起動部１２０は、医師がマウス７０を操作してディスプレイ５０に表示されているシェーマ描画アプリケーション（起動用ショートカット：図示せず）から読み出し動作を実行すると、それ応答してディスク記憶部３０からシェーマ描画アプリケーションを読み出し、主メモリ２０に格納する。ＣＰＵ１０は、主メモリ２０に読み出したシェーマ描画アプリケーションを実行して、以下に説明する機能ブロックとして動作する。なお、ここではディスク記憶部３０からシェーマ描画アプリケーションを読み出すとしたが、ＬＡＮ２００を経由してシェーマ情報ＤＢ３００から読み出すものであってもよい。
【００２０】
下絵情報＆設定情報取得部１３０は、通信インタフェース８０、ＬＡＮ２００を経由してサーバ装置のシェーマ情報ＤＢ３００に格納されているシェーマの下絵画像（１８０ａ）を取得する。取得した下絵画像は、主メモリ２０、表示メモリ４０を経由してディスプレイ５０に表示される。また、下絵情報＆設定情報取得部１３０は、通信インタフェース８０、ＬＡＮ２００を経由してシェーマ情報ＤＢ３００に格納されている対応するシェーマの設定情報テーブル（１８０ｂ）を取得する。取得した設定情報テーブルは、主メモリ２０、表示メモリ４０を経由してディスプレイ５０に表示される。なお、ここではシェーマ情報ＤＢ３００から下絵画像（１８０ａ）および設定情報テーブル（１８０ｂ）を取得するとしたが、ＬＡＮ２００を経由してシェーマ情報ＤＢ３００から読み出したものを予めディスク記憶部３０に格納しておき、起動時にディスク記憶部３０から取得するようにしてもよい。
【００２１】
シェーマ表示部１４０は、ディスプレイ５０に取得した下絵画像および設定情報テーブルを表示するもので、例えば病院情報システムとして予め設計された電子カルテ上に表示する。
【００２２】
シェーマ記載部１５０は、医師によるマウス７０の操作に連動して、ディスプレイ５０に表示されたシェーマ下絵画像に対し所定の画像入力を行い、患者の疾病に係るシェーマ画像を作成する。また、医師によるキーボード６０の操作に連動して、設定情報テーブルに入力されたテキストデータや数値データなどを記載して、その内容を記載情報１９０ａとして主メモリ２０又はディスク記憶部３０の作業領域に記憶する。
【００２３】
シェーマ登録部１６０は、主メモリ２０又はディスク記憶部３０の作業領域に記憶したシェーマ描画情報やテキストデータなどを読み出してデータ格納部１７０に渡す。データ格納部１７０は、シェーマの描画情報やテキストデータを通信インタフェース８０、ＬＡＮ２００を経由してシェーマ情報ＤＢ３００の所定の領域に格納する。この情報は記載情報１９０ｂとして長く保存される。
【００２４】
次に、本実施形態に係るシェーマ描画装置の動作を図３乃至図６を参照して説明する。図３は、シェーマ描画ツールの動作を示すフローチャートである。図４乃至図６は、シェーマ描画の第１の動作例乃至第３の動作例を示すもので、人体の所定部位の構造を線図で表したシェーマ下絵画像と、部位毎に設定可能な設定情報テーブルとの関係を示している。ここでは、人体の所定部位として、全身のシェーマ下絵画像を例示しているが、人体の臓器・肺・顔・頭の部位など、全ての疾病箇所のシェーマ画像についても、同様に適用することができる。
【００２５】
シェーマ画像の表示動作に先立ち、医師は、自分のクライアント端末を操作して、シェーマ描画アプリケーションを起動する。すると、クライアント端末はシェーマ描画ツールとして動作する。そして、ＣＰＵ１０はシェーマ描画アプリケーションを実行して、上述した機能ブロックとして動作する。
【００２６】
まず、医師は、ディスプレイ５０を見ながらマウス７０などを操作して、患者の疾病箇所に応じた所定部位のシェーマ画像を取得する操作を行う。その操作に応じて、下絵情報＆設定情報取得部１３０は、指定されたシェーマ下絵画像１８０ａおよびそれに対応する設定情報テーブル１８０ｂをシェーマ情報ＤＢ３００から取得する。
【００２７】
即ち、下絵情報＆設定情報取得部１３０は、通信インタフェース８０、ＬＡＮ２００を経由してサーバ装置のシェーマ情報ＤＢ３００に格納されているシェーマ下絵画像（１８０ａ）を取得する。取得したシェーマ下絵画像は、主メモリ２０、表示メモリ４０を経由してディスプレイ５０に表示される。
【００２８】
また、下絵情報＆設定情報取得部１３０は、通信インタフェース８０、ＬＡＮ２００を経由してシェーマ情報ＤＢ３００に格納されているシェーマ下絵画像に対応する設定情報テーブル（１８０ｂ）を取得する。取得した設定情報テーブル情報は、主メモリ２０、表示メモリ４０を経由してディスプレイ５０に表示される。
【００２９】
なお、シェーマ情報ＤＢ３００に対する患者の疾病に応じたシェーマ下絵画像およびその設定情報テーブルの読み出しは、人体を階層構造的に区分けしたものから選択指定しても良いし、予め定めたコード入力又は名称入力から読み出し指定するものであってもよい。
【００３０】
次に、シェーマ表示部１４０は、ディスプレイ５０に取得したシェーマ下絵画像および設定情報テーブルの表示動作を実行する（図３のステップＳ１００）。まず、取得したシェーマ下絵画像は、主メモリ２０、表示メモリ４０を経由してディスプレイ５０に初期表示される（図３のステップＳ１１０）。また、取得したシェーマ下絵画像に対応する設定情報テーブルも、主メモリ２０、表示メモリ４０を経由してディスプレイ５０に初期表示される（図３のステップＳ１２０）。
【００３１】
図４は、例えば、電子カルテ上に同時表示したシェーマ下絵画像１８０ａと設定情報テーブル１８０ｂを示している。この時、シェーマ表示部１４０はシェーマ下絵画像１８０ａの各部位（Ｃ１乃至Ｃ８、Ｔ１乃至Ｔ１２、Ｓ１，Ｓ２）の座標位置と、設定情報テーブル１８０ｂの対応する部位との対応関係を保持している。この対応関係を示す座標情報は、シェーマ下絵画像の作成時に併せて設定情報テーブルを作成して、これをシェーマ情報ＤＢ３００に登録しておくのが好ましい。そうすることにより、シェーマ下絵画像１８０ａと設定情報テーブル１８０ｂの読み出し時に、座標情報も同時に得ることができる。
【００３２】
ここでは、人体全体のシェーマ下絵画像１８０ａが線図によって各部位（Ｃ１乃至Ｃ８、Ｔ１乃至Ｔ１２、Ｓ１，Ｓ２）に区分けされている。そして、設定情報テーブル１８０ｂには、中央で２等分した左右の各部位（Ｃ１乃至Ｃ８、Ｔ１乃至Ｔ１２、Ｓ１，Ｓ２）の情報が設定可能となっている。左右の各部位（Ｃ１乃至Ｃ８、Ｔ１乃至Ｔ１２、Ｓ１，Ｓ２）の設定情報テーブル１８０ｂは、色フィールド、レベルフィールド、自由記入フィールド（テキストデータ）などによって構成されている。
【００３３】
即ち、医師はキーボード６０、マウス７０を操作して、ディスプレイ５０に表示されたシェーマ下絵画像１８０ａと設定情報テーブル１８０ｂに対し、患者の疾病に関する各種のデータ入力を行う。例えば、データ入力には、疾病箇所を特定する色塗り処理（図３のステップＳ１３０）、疾病のレベルを表示する数値処理（図３のステップＳ１４０）、テキストによるフリー入力処理（図３のステップＳ１５０）などがある。
【００３４】
疾病箇所を特定する色塗り処理（図３のステップＳ１３０）の場合、図５に示すように、医師はディスプレイ５０に表示される設定情報テーブル１８０ｂから患者の疾病箇所を選択して、その位置に色塗りを入力する。
【００３５】
例えば、図５の場合では、設定情報テーブル１８０ｂの疾病箇所Ｔ１（図５の矢印の箇所）の色フィールドに「赤」の文字情報と入力することにより、赤色の色塗りを設定したこととなる（図３のステップＳ１６０）。その結果、図６に示すように、シェーマ表示部１４０は対応する座標情報を基にシェーマ下絵画像１８０ａの疾病箇所Ｔ１を赤色（図６の矢印の網掛け部）に塗り潰す（図３のステップＳ１７０）。
【００３６】
色塗り処理は、シェーマ下絵画像１８０ａからも行うことができる。即ち、シェーマ表示部１４０は図６のようにシェーマ下絵画像１８０ａの疾病箇所Ｔ１を赤色に塗り潰すと、その結果を図５の設定情報テーブル１８０ｂに反映するように、疾病箇所Ｔ１に「赤」の文字情報を入力する。
【００３７】
なお、色の入力に際しては予め色テンプレートを用意し、選択した色をドラック＆ドロップして色塗り行ってもよい。また、各種の色分けにより、部位を認識できるようにしてもよい。色分けを行うことにより、色の濃淡により重症度などを一目で認識することができるようになる。
【００３８】
また、疾病のレベルを表示する数値処理（図３のステップＳ１４０）の場合、図５に示すように、医師はディスプレイ５０に表示される設定情報テーブル１８０ｂの疾病箇所Ｔ１のレベルフィールドに疾病レベル「＋／＋＋／＋＋＋」を入力・表示する（図３のステップＳ１６０，Ｓ１７０）。疾病レベルは、数値入力「１／２／３」であってもよく、記号や符号を用いてもよい。
【００３９】
また、テキストによるフリー入力処理（図３のステップＳ１５０）の場合、図５に示すように、医師はディスプレイ５０に表示される設定情報テーブル１８０ｂの疾病箇所Ｔ１の自由記入フィールドにテキストデータ「裂傷」を入力・表示する（図３のステップＳ１６０，Ｓ１７０）。フリー入力では、医師の判断や症状の詳細など、治療に役立つ各種の情報を自由記入して記録するものである。
【００４０】
作成されたシェーマ画像と設定情報テーブルの内容は、ディスク記憶部３０に一時格納され、その後データ格納部１７０によって通信インタフェース８０、ＬＡＮ２００を経由してシェーマ情報ＤＢ３００の所定の領域に格納する。更に、患者の電子カルテと共に他のデータベースに保存してもよい。
【００４１】
図７は、実施形態に係るシェーマ描画装置の変形例を示すブロック図である。この実施形態では、下絵情報＆設定情報取得部１３０ｂと、データ格納部１７０の機能をサーバ装置側に持たせたものである。その他の機能、動作、効果は上述した実施形態と同じであるのでその説明は省略する。
【００４２】
本実施形態によれば、シェーマ描画が容易に行うことができる様になり、診察の質の向上につながり、医療従事者の情報伝達にも役立つ。
【００４３】
また、シェーマ描画が紙カルテへの描画と同等の速さで書けるようになり、ペーパレス化が推進する。
【００４４】
更に、シェーマ画像から得ることができない統計データが、シェーマ画像に対応する設定情報テーブルを参照することにより統計データを得ることができるようになる。即ち、設定情報テーブルを集計することにより、疾病部位に応じて、どこの部位に悪い症状が多くあるかを簡単に分類することができる。そして、シェーマ画像に入力した疾病情報を数値データとしても表すことができるようになる。
【００４５】
なお、本発明は上記実施形態に限定されるものではなく、本発明の要旨を逸脱しない範囲において適宜設計変更することが可能である。その他、入力補助機能や値入力機能を設けてもよい。入力補助機能はシェーマ下絵画像により、塗りつぶし・自由文記載・定型文記載（選択）・マークなどを可変とする。入力する候補の選択として、コンボ方式・一覧方式・ガジェット方式・頻用などを用いる。入力補助機能は、初期表示・右クリックから起動など表示方法を可変とする。値入力機能は、記入箇所を事前に定義することにより、入力を簡易化する。入力する文字は、フリー入力・選択方式を可能とし、色や大きさなども選択可能である。
【符号の説明】
【００４６】
１０‥ＣＰＵ、２０‥主メモリ、３０‥ディスク記憶部、４０‥表示メモリ、５０‥ディスプレイ、６０‥キーボード、７０‥マウス、８０‥通信インタフェース、９０‥バス、２００‥ＬＡＮ、３００‥シェーマ情報ＤＢ、１２０‥シェーマ起動部、１３０‥下絵情報＆設定情報取得部、１４０‥シェーマ表示部、１５０‥シェーマ記載部、１６０‥シェーマ登録部、１７０‥シェーマ格納部、１８０ａ‥シェーマ下絵画像、１８０ｂ‥設定情報テーブル、１９０ａ，１９０ｂ‥記載情報ＤＢ
【図１】
2012003465.tif 000003
【図２】
2012003465.tif 000004
【図３】
2012003465.tif 000005
【図４】
2012003465.tif 000006
【図５】
2012003465.tif 000007
【図６】
2012003465.tif 000008
【図７】
2012003465.tif 000009